(57)【特許請求の範囲】
【請求項１】
表示区域を有する表示パネルに画素を設置する画素配置方法であって、
前記表示区域を、等間隔の垂直グリッドにより、互いに隣接し、面積の等しい複数の矩形区域に分け、
各矩形区域を、１つの横向き軸線と、１つの縦向き軸線とにより、左上部分、右上部分、左下部分、右下部分の４部分に分け、前記４部分のそれぞれを、前記左上部分の左上の頂点、前記右上部分の右上の頂点、前記左下部分の左下の頂点および前記右下部分の右下の頂点のそれぞれと、前記横向き軸線と前記縦向き軸線との交点とを連結して得られる結線により、２つに区分することによって八つの面積の等しいサブ画素区に分け、
前記表示区域の全体に、互いに違う形状を有する第一型の画素と第二型の画素とのそれぞれを複数設けて、
前記第一型の画素は一つの前記矩形区域に位置する四つの前記サブ画素区を含んで、
前記第二型の画素は互いに隣りあう二つの前記第一型の画素の間に設ける四つの前記サブ画素区を含み、
前記４部分のそれぞれを構成する二つの前記サブ画素区の一方の色と、もう一方の色とが同一である
ことを特徴とする画素配置方法。
【請求項２】
前記第一型の画素は、中心対称となるように二つの三角形区域を含む
ことを特徴とする請求項１に記載の画素配置方法。
【請求項３】
前記第二型の画素は、一つの正方形を構成できる四つの前記サブ画素区を含む
ことを特徴とする請求項１に記載の画素配置方法。
【請求項４】
前記サブ画素区には、複数の発光部品が形成される
ことを特徴とする請求項１に記載の画素配置方法。
【請求項５】
前記発光部品は、有機的な発光部品である
ことを特徴とする請求項４に記載の画素配置方法。
【請求項６】
前記表示パネルは有機発光表示パネルである
ことを特徴とする請求項５に記載の画素配置方法。
【請求項７】
前記第一型の画素における四つの前記サブ画素区には、二つの青色の前記サブ画素区と、一つの赤色の前記サブ画素区と、一つのグリーン色の前記サブ画素区と、を含む
ことを特徴とする請求項１に記載の画素配置方法。
【請求項８】
前記第二型の画素における四つの前記サブ画素区には、二つの青色の前記サブ画素区と、一つの赤色の前記サブ画素区と、一つのグリーン色の前記サブ画素区と、を含む
ことを特徴とする請求項１に記載の画素配置方法。
【請求項９】
前記二つの青色の前記サブ画素区は、縦方向に沿って配置される
ことを特徴とする請求項７に記載の画素配置方法。
【請求項１０】
前記二つの青色の前記サブ画素区は、縦方向に沿って配置される
ことを特徴とする請求項８に記載の画素配置方法。
【請求項１１】
表示区域を有する表示パネルにおいて、お互いに隣接するように前記の表示区域を等間隔の垂直グリッドで分けることにより設ける矩形区域を含んで、
各矩形区域は完全に同じ面積を有し、
各矩形区域を、１つの横向き軸線と、１つの縦向き軸線とにより、左上部分、右上部分、左下部分、右下部分の４部分に分け、前記４部分のそれぞれを、前記左上部分の左上の頂点、前記右上部分の右上の頂点、前記左下部分の左下の頂点、前記右下部分の右下の頂点のそれぞれと、前記横向き軸線と前記縦向き軸線との交点とを連結して得られる結線により、２つに区分することによって得られる八つの面積の同じサブ画素区を含んで、
前記表示区域の全体に、互いに違う形状を有する第一型の画素と第二型の画素とのそれぞれを複数設けて、
前記第一型の画素は一つの前記矩形区域に位置する四つの前記サブ画素区を含んで、
前記第二型の画素は四つの前記サブ画素区を含んで、互いに隣りあう二つの前記第一型の画素の間に設け、
前記４部分のそれぞれを構成する二つの前記サブ画素区の一方の色と、もう一方の色とが同一である
ことを特徴とする表示区域を有する表示パネル。
【請求項１２】
前記第一型の画素は、中心対称となるように二つの三角形区域を含む
ことを特徴とする請求項１１に記載の表示区域を有する表示パネル。
【請求項１３】
前記第二型の画素は、一つの正方形を構成できる四つの前記サブ画素区を含む
ことを特徴とする請求項１１に記載の表示区域を有する表示パネル。
【請求項１４】
前記サブ画素区には、複数の発光部品が形成される
ことを特徴とする請求項１１に記載の表示区域を有する表示パネル。
【請求項１５】
前記発光部品は、有機的な発光部品である
ことを特徴とする請求項１４に記載の表示区域を有する表示パネル。
【請求項１６】
前記表示パネルは有機発光表示パネルである
ことを特徴とする請求項１５に記載の表示区域を有する表示パネル。
【請求項１７】
前記第一型の画素における四つの前記サブ画素区には、二つの青色の前記サブ画素区と、一つの赤色の前記サブ画素区と、一つのグリーン色の前記サブ画素区と、を含む
ことを特徴とする請求項１１に記載の表示区域を有する表示パネル。
【請求項１８】
前記第二型の画素における四つの前記サブ画素区には、二つの青色の前記サブ画素区と、一つの赤色の前記サブ画素区と、一つのグリーン色の前記サブ画素区と、を含む
ことを特徴とする請求項１１に記載の表示区域を有する表示パネル。
【請求項１９】
前記二つの青色の前記サブ画素区は、縦方向に沿って配置される
ことを特徴とする請求項１７に記載の表示区域を有する表示パネル。
【請求項２０】
前記二つの青色の前記サブ画素区は、縦方向に沿って配置される
ことを特徴とする請求項１８に記載の表示区域を有する表示パネル。
【発明の詳細な説明】
【技術分野】
【０００１】
本発明は、画素配列方式に関し、特に、画素配置方法及び当該方法を使用する表示パネルに関する。
【背景技術】
【０００２】
ＯＬＥＤという有機発光ダイオード（Organic Light-Emitting Diode）は、有機ＥＬディスプレイ（Organic Electroluminescence Display；ＯＥＬＤ）とも称される。ＯＬＥＤは自発光の特性を備え、格別に薄い有機材料コーティング／塗膜及びガラス基板を採用して、電流が流れる際に有機材料が発光し、また、ＯＬＥＤディスプレイの視野角度が大きく、且つ電力を顕著に節約できる。このため、ＯＬＥＤのスクリーンは、多くの他のフラットパネルディスプレイと比較して、比類のない優勢を具備する。
【０００３】
しかし、ＯＬＥＤの製造プロセスに制限されることにより、ＯＬＥＤのスクリーンの影像解像度ＰＰＩ（pixel per inch）を向上させにくく、ＯＬＥＤの発展のボトルネックとなる。
【０００４】
図１に示すように、従来の表示パネルは、一般的にＲＧＢ横並び（side by side）画素配列を採用し、即ち、一つの画素がそれぞれ赤、緑、青の三色を表示する三つのサブ画素により形成される。しかし、このような配列方式がＯＬＥＤに応用される時、蒸着混色を引き起こしやすく、製品の合格率（歩留まり）を低下させる。
【０００５】
このＯＬＥＤの特性に対して、図２に示すPen Tile画素配列の方式を採用することにより、ＯＬＥＤパネルの歩留まりを向上させることについて有利にする。しかし、その解像度がＲＧＢ横並び配列方式の２／３になるので、色ずれを引き起こしやすく、且つＯＬＥＤ製品の性能の体現について不利にする。
【０００６】
「有機発光表示装置」（中国特許公開番号CN102262854A）という特許文献１は、ＲＧＢＢと称される画素配列方式を開示し、図３に示すように、そのＯＬＥＤ青色発光部品の損壊容易な特徴に対して、画素単位内で青色光を発するサブ画素の数量を増加する。
【先行技術文献】
【特許文献】
【０００７】
【特許文献１】中国特許出願公開第１０２２６２８５４号明細書
【発明の概要】
【発明が解決しようとする課題】
【０００８】
しかし、特許文献１に開示された方法では、依然として画素配列の角度から解像度を増加する方法を提案できない。
【０００９】
そこで、本発明は、ＯＬＥＤの問題点を解決するためになされたもので、その目的は、画像の解像度ＰＰＩを向上させるための画素配置方法及び当該方法を使用する表示パネルを提供することを課題とする。
【課題を解決するための手段】
【００１０】
このような課題を解決するために、本発明に係る画素配置方法は、表示区域を有する表示パネルに画素を設置する画素配置方法であって、前記表示区域を、等間隔の垂直グリッドにより、互いに隣接し、面積の等しい複数の矩形区域に分け、各矩形区域を、１つの横向き軸線と、１つの縦向き軸線とにより、左上部分、右上部分、左下部分、右下部分の４部分に分け、前記４部分のそれぞれを、前記左上部分の左上の頂点、前記右上部分の右上の頂点、前記左下部分の左下の頂点および前記右下部分の右下の頂点のそれぞれと、前記横向き軸線と前記縦向き軸線との交点とを連結して得られる結線により、２つに区分することによって八つの面積の等しいサブ画素区に分け、前記表示区域の全体に、互いに違う形状を有する第一型の画素と第二型の画素とのそれぞれを複数設けて、前記第一型の画素は一つの前記矩形区域に位置する四つの前記サブ画素区を含んで、前記第二型の画素は互いに隣りあう二つの前記第一型の画素の間に設ける四つの前記サブ画素区を含み、前記４部分のそれぞれを構成する二つの前記サブ画素区の一方の色と、もう一方の色とが同一であることを特徴とする画素配置方法である。
【００１１】
また、本発明に係る表示パネルは、表示区域を有する表示パネルにおいて、お互いに隣接するように前記の表示区域を等間隔の垂直グリッドで分けることにより設ける矩形区域を含んで、各矩形区域は完全に同じ面積を有し、各矩形区域を、１つの横向き軸線と、１つの縦向き軸線とにより、左上部分、右上部分、左下部分、右下部分の４部分に分け、前記４部分のそれぞれを、前記左上部分の左上の頂点、前記右上部分の右上の頂点、前記左下部分の左下の頂点、前記右下部分の右下の頂点のそれぞれと、前記横向き軸線と前記縦向き軸線との交点とを連結して得られる結線により、２つに区分することによって得られる八つの面積の同じサブ画素区を含んで、前記表示区域の全体に、互いに違う形状を有する第一型の画素と第二型の画素とのそれぞれを複数設けて、前記第一型の画素は一つの前記矩形区域に位置する四つの前記サブ画素区を含んで、前記第二型の画素は四つの前記サブ画素区を含んで、互いに隣りあう二つの前記第一型の画素の間に設け、前記４部分のそれぞれを構成する二つの前記サブ画素区の一方の色と、もう一方の色とが同一であることを特徴とする表示区域を有する表示パネルである。
【発明の効果】
【００１２】
本発明によれば、単位空間内にあるサブ画素の占有面積を減少させ、物理解像度を向上させ、Higher NTSCを実現でき、且つ表示パネルのパワーロスを低下させることができる。
【図面の簡単な説明】
【００１３】
【図１】従来の表示パネルＲＧＢ横並び画素配列方式の構造見取図である。
【図２】従来の表示パネルPen tile画素配列方式の構造見取図である。
【図３】従来の表示パネルＲＧＢＢ画素配列方式の構造見取図である。
【図４】本発明の画素配置方法による矩形ブロックが四部分に分けられる構造見取図である。
【図５】本発明の画素配置方法による矩形ブロックの四部分が八つのサブ画素区に分けられる構造見取図である。
【図６】本発明の画素配置方法による二つの矩形ブロックが隣接する時のサブ画素区の結合関係の構造見取図である。
【図７】本発明の画素配置方法による第一型画素単位の構造見取図である。
【図８】本発明の画素配置方法による第二型画素単位の構造見取図である。
【図９】本発明の画素配置方法による第一型画素単位及び第二型画素単位に位置する水平方向交錯設置の構造見取図である。
【図１０】本発明の画素配置方法による第一型画素単位及び第二型画素単位に位置する水平方向交錯設置被覆部分表示区域の構造見取図である。
【図１１】本発明の画素配置方法による第一型画素単位及び第二型画素単位が垂直方向に交錯設置された構造見取図である。
【図１２】本発明の画素配置方法による矩形ブロック区分方式の一典型実施例の構造見取図である。
【図１３】本発明の画素配置方法による矩形ブロック区分方式の他の典型実施例の構造見取図である。
【発明を実施するための形態】
【００１４】
以下、本発明を実施するための形態（以下「実施形態」という）について、適宜図面を参照しながら詳細に説明するが、以下の実施形態の構成に限定されるものではなく、発明の趣旨を逸脱しない範囲内で種々の変更が可能である。
【００１５】
また、衝突しない場合には、本発明の各実施形態及び実施形態の各特徴を、相互に組み合わせることができる。
【００１６】
図４から図１０に示すように、本発明は画素配置方法であり、その中で、表示区域を、等間隔の垂直グリッドにより、複数の等面積の矩形ブロック１に等分する。図４に示すように、各矩形ブロック１を、所定位置にある横向軸線１１及び所定位置にある縦向軸線１２により、左上部分１３、右上部分１４、左下部分１５及び右下部分１６という四部分に区分する。図５に示すように、各矩形ブロック１の四部分のうち、各部分の所属する矩形ブロック１の曲り角点（頂点）と、その所属する矩形ブロック１の横向軸線１１と縦向軸線１２との交点とを連結する結線により、各部分を二つのサブ画素区に区分してなり、即ち、各矩形ブロック１の四部分を八つのサブ画素区に区画してなる。
【００１７】
左上部分１３を、所属の矩形ブロック１の垂直方向辺及び横向軸線１１のそれぞれと共通する辺を有する左上第一サブ画素区１３１、及び所属の矩形ブロック１の水平方向辺及び縦向軸線１２のそれぞれと共通する辺を有する左上第二サブ画素区１３２に分けられる。
【００１８】
右上部分１４は、所属の矩形ブロック１の垂直方向辺及び横向軸線１１のそれぞれと共通する辺を有する右上第一サブ画素区１４１、及び所属の矩形ブロック１の水平方向辺及び縦向軸線１２のそれぞれと共通する辺を有する右上第二サブ画素区１４２に分けられる。
【００１９】
左下部分１５は、所属の矩形ブロック１の垂直方向辺及び横向軸線１１のそれぞれと共通する辺を有する左下第一サブ画素区１５１、及び所属の矩形ブロック１の水平方向辺及び縦向軸線１２のそれぞれと共通する辺を有する左下第二サブ画素区１５２に分けられる。
【００２０】
右下部分１６は、所属の矩形ブロック１の垂直方向辺及び横向軸線１１のそれぞれと共通する辺を有する右下第一サブ画素区１６１、及び所属の矩形ブロック１の水平方向辺及び縦向軸線１２のそれぞれと共通する辺を有する右下第二サブ画素区１６２に分けられる。
【００２１】
各サブ画素区に発光部品が設置されている。
【００２２】
図５に示すように、各矩形ブロック１の左上第二サブ画素区１３２にある発光部品及び右上第二サブ画素区１４２にある発光部品、左下第二サブ画素区１５２にある発光部品、及び右下第二サブ画素区１６２にある発光部品により、図７に示す一つの第一型画素単位２１を構成する。
【００２３】
各矩形ブロック１の左上第一サブ画素区１３１にある発光部品、及び左下第一サブ画素区１５１にある発光部品、所属の矩形ブロック１左辺に存在する隣接の矩形ブロック１の右上第一サブ画素区１４１にある発光部品、及び右下第一サブ画素区１６１にある発光部品により、一つの第二型画素単位２２を構成する。
【００２４】
図６に示すように、各矩形ブロック１の右上第一サブ画素区１４１にある発光部品、及び右下第一サブ画素区１６１にある発光部品、所属の矩形ブロック１右辺に存在する隣接の矩形ブロック１の左上第一サブ画素区１３１にある発光部品、及び左下第一サブ画素区１５１にある発光部品により、図８に示す一つの第二型画素単位２２を構成する。
【００２５】
第一型画素単位２１及び第二型画素単位２２は、図９に示すように、水平方向に交錯設置（交互に設置）され、図１０に示すように、第一型画素単位２１同士間が垂直方向に相互に合わせ（合致させ）、第二型画素単位２２同士間が垂直方向に相互に合わせるように表示区域の全体を被覆する。
【００２６】
前記技術案は、三角形のサブ画素設置区域を採用して、単位面積内のサブ画素設置数量を増加させ、即ち、単位面積内に占有するサブ画素の面積を減少するので、表示区域全体のサブ画素数量を増加させ、同じ面積で、前記技術案の三角形サブ画素設置区域を採用することでサブ画素の数量を従来のＲＧＢ配列方式の８／３、或いは従来のＲＧＢＢ配列方式の２倍に達することができる。一つの画素単位でサブ画素数量が不変である前提下で、全体の図像解像度を前記技術案による配列方式により顕著に向上させることできる。
【００２７】
前記技術案は、第一型画素単位２１及び第二型画素単位２２は水平方向に交錯設置して表示区域の全体を被覆する実施形態を記述し、本発明の実施例には、更に第一型画素単位２１及び第二型画素単位２２が垂直方向に交錯設置（交互に設置）して表示区域の全体を被覆する実施形態を含む。
【００２８】
図１１に示すように、その中で、各矩形ブロック１の左上第一サブ画素区１３１にある発光部品及び右上第一サブ画素区１４１にある発光部品、左下第一サブ画素区１５１にある発光部品及び右下第一サブ画素区１６１にある発光部品により、一つの第一型画素単位２１を構成する。
【００２９】
各矩形ブロック１の左上第二サブ画素区１３２にある発光部品及び右上第二サブ画素区１４２にある発光部品、所属の矩形ブロック１上辺に存在する隣接の矩形ブロック１の左下第二サブ画素区１５２にある発光部品及び右下第二サブ画素区１６２にある発光部品により、一つの第二型画素単位２２を構成する。
【００３０】
各矩形ブロック１の左下第二サブ画素区１５２にある発光部品及び右下第二サブ画素区１６２にある発光部品、所属の矩形ブロック１下辺に存在する隣接の矩形ブロック１の左上第二サブ画素区１３２にある発光部品及び右上第二サブ画素区１４２にある発光部品により、一つの第二型画素単位２２を構成する。
【００３１】
第一型画素単位２１及び第二型画素単位２２は、垂直方向に交錯設置（交互に設置）され、第一型画素単位２１同士が水平方向に相互に合わせ（合致させ）、第二型画素単位２２同士が水平方向に相互に合わせる状態で表示区域の全体を被覆する。
【００３２】
前記技術案に基づき、より一層として、横向軸線１１はその所属する矩形ブロック１の横向中軸線であり、同時に縦向軸線１２も所属の矩形ブロック１の縦向中軸線であってもよい。同時に矩形ブロック１もより一層正方形に区画される。矩形ブロック１の設置は具体な需要により決定され、同時に矩形ブロック１を四部分に区分する方法も必要により設置される四部分にある発光部品の具体的に必要がある作出調整できる。本発明の核心思想は、矩形ブロック１の四部分を、矩形ブロック１の中心方向に指向する対角線により八つの三角形のサブ画素区に区分するため、単位面積内サブ画素の数量の増加を実現するため、この核心思想での具体な区分方式は、本発明の技術案内に包含すべきである。以下、典型の矩形ブロック１の二つの区分実施形態について説明する。
【００３３】
第一区分方式として、図１２の示すように、各矩形ブロック１は、所定位置にある横向軸線１１、及び横向軸線１１上方の所定位置に位置して横向軸線１１と垂直する第一縦向半軸線１２１、及び横向軸線１１下方の所定位置に位置して横向軸線１１と垂直する第二縦向半軸線１２２により、左上部分１３、右上部分１４、左下部分１５及び右下部分１６とういう四部分に区分されてなる。
【００３４】
各矩形ブロック１の四部分のうち、各部分所属の矩形ブロック１の曲り角点（頂点）と、所属の矩形ブロック１の横向軸線１１と第一縦向半軸線１２１或いは第二縦向半軸線１２２との交点とを連結する結線により、各部分を二つのサブ画素区に区分してなり、各矩形ブロック１の四部分を八つのサブ画素区に区画してなる。
【００３５】
左上部分１３は、所属の矩形ブロック１の垂直方向辺及び横向軸線１１のそれぞれと共通する辺を有する左上第一サブ画素区１３１、及び所属の矩形ブロック１の水平方向辺及び第一縦向半軸線１２１のそれぞれと共通する辺を有する左上第二サブ画素区１３２に分けられる。
【００３６】
右上部分１４は、所属の矩形ブロック１の垂直方向辺及び横向軸線１１のそれぞれと共通する辺を有する右上第一サブ画素区１４１、及び所属の矩形ブロック１の水平方向辺及び第一縦向半軸線１２１のそれぞれと共通する辺を有する右上第二サブ画素区１４２に分けられる。
【００３７】
左下部分１５は、所属の矩形ブロック１の垂直方向辺及び横向軸線１１のそれぞれと共通する辺を有する左下第一サブ画素区１５１、及び所属の矩形ブロック１の水平方向辺及び第二縦向半軸線１２２のそれぞれと共通する辺を有する左下第二サブ画素区１５２に分けられる。
【００３８】
右下部分１６は、所属の矩形ブロック１の垂直方向辺及び横向軸線１１のそれぞれと共通する辺を有する右下第一サブ画素区１６１、及び所属の矩形ブロック１の水平方向辺及び第二縦向半軸線１２２のそれぞれと共通する辺を有する右下第二サブ画素区１６２に分けられる。
【００３９】
第二区分方式として、図１３の示すように、各矩形ブロック１は、所定位置にある縦向軸線１２、及び縦向軸線１２左側の所定位置に位置して縦向軸線１２と垂直する第一横向半軸線１１１、及び縦向軸線１２右側の所定位置に位置して且つ縦向軸線１２と垂直する第二横向半軸線１１２により、左上部分１３、右上部分１４、左下部分１５及び右下部分１６という四部分に区分される。
【００４０】
各矩形ブロック１の四部分のうち、各部分所属の矩形ブロック１の曲り角点（頂点）と、所属の矩形ブロック１の縦向軸線１２及び第一横向半軸線１１１或いは第二横向半軸線１１２との交点とを連結する結線により、各部分を二つのサブ画素区に区分し、各矩形ブロック１の四部分を八つのサブ画素区に区画する。
【００４１】
左上部分１３は、所属の矩形ブロック１の垂直方向辺及び第一横向半軸線１１１のそれぞれと共通する辺を有する左上第一サブ画素区１３１、及び所属の矩形ブロック１の水平方向辺及び縦向軸線１２のそれぞれと共通する辺を有する左上第二サブ画素区１３２に分けられる。
【００４２】
右上部分１４は、所属の矩形ブロック１の垂直方向辺及び第二横向半軸線１１２のそれぞれと共通する辺を有する右上第一サブ画素区１４１、及び所属の矩形ブロック１の水平方向辺及び縦向軸線１２のそれぞれと共通する辺を有する右上第二サブ画素区１４２に分けられる。
【００４３】
左下部分１５は、所属の矩形ブロック１の垂直方向辺及び第一横向半軸線１１１のそれぞれと共通する辺を有する左下第一サブ画素区１５１、及び所属の矩形ブロック１の水平方向辺及び縦向軸線１２のそれぞれと共通する辺を有する左下第二サブ画素区１５２に分けられる。
【００４４】
右下部分１６は、所属の矩形ブロック１の垂直方向辺及び第二横向半軸線１１２のそれぞれと共通する辺を有する右下第一サブ画素区１６１、及び所属の矩形ブロック１の水平方向辺及び縦向軸線１２のそれぞれと共通する辺を有する右下第二サブ画素区１６２に分けられる。
【００４５】
上記両典型の区分方式の挙例は、本発明の保護範囲を制限することなく、直観的に本発明の実施形態だけを説明することを目的とし、同時に前記両区分方式及びその前に記載される区分方式は全て、第一型画素単位２１と第二型画素単位２２が水平方向に交錯配列する実施形態、及び第一型画素単位２１と第二型画素単位２２が垂直方向に交錯配列する実施形態に適用できる。
【００４６】
ここで、説明しておく必要があることは、以上に記載された垂直グリッド、横向軸線１１、縦向軸線１２、第一横向半軸線１１１、第二横向半軸線１１２、第一縦向半軸線１２１、第二縦向半軸線１２２及び各矩形ブロック１内の連結線は、全てロジック意義的な線であり、これらのロジック意義的な線の部分或いは全部はある形式実体で前記技術案配置画素の部品に存在でき、前記技術案配置画素の部品を制作するプロセスフローには、実体の結線或いはロジック的な線型の制御形式で補助部品の制作に用いられることができるということである。
【００４７】
前記技術案に基づき、さらに、一つの矩形ブロック１の同一部分にある二つのサブ画素区に設置される発光部品の色が同じであるので、ＯＬＥＤ加工に有利である。これに基づいて、各矩形ブロック１の四部分のうち、少なくとも三色の発光部品を設置し、且つ各矩形ブロック内に色の異なる発光部品の位置が同じにすることができる。少なくとも三色の発光部品の設置は従来のＲＧＢ表示方案の実現を確保し、勿論、本発明はより多い色の設置により他の表示方案に適応させることを排除しない。これに基づいて、各矩形ブロック１の右上部分１４及び右下部分１６には色の同じ発光部品を設置でき、或いは、各矩形ブロック１の左上部分１３及び左下部分１５にそれぞれ色の同じ発光部品を設置できるため、ＲＧＢＢ表示方案を実現し、ＯＬＥＤ藍色発光部品の損壊容易な問題を対処することができる。
【００４８】
前記技術案に基づき、さらに、各サブ画素区に設置される発光部品が所在のサブ画素区の形状と同じにさせる可能なので、表示区域の空間の充分な利用に有利するため、図像解像度を向上させる。勿論、本発明はとサブ画素区の形状の異なる発光部品を採用することを排除しなく、例えば各サブ画素区に半円形或いは斜向で二等分される楕円型の発光部品を設置でき、即ち、矩形ブロック１の各部分にある発光部品が円形或いは楕円形に組合される。
【００４９】
勿論、前記技術案は、有機発光部品により形成される表示装置に適用され、他の発光部品形成の表示装置にも応用できることを指摘すべきである。
【００５０】
本発明の技術案には更に表示パネルを含み、かつ前記画素配置方法を採用できる。
【００５１】
前記技術案に基づき、より一層として、前記表示パネルの横向画素単位数量と縦向画素単位数量の比が４：３とし、１６：９としてもよい。
【００５２】
なお、図７から図１１におけるハッチングは、図１から図３におけるハッチングと対応させてもよい。即ち、図７から図１１において、左下がりのハッチングは赤（Ｒ）を示し、縦方向のハッチングは緑（Ｇ）を示し、クロスするハッチングは青（Ｂ）を示す。
【００５３】
以上の記載は、本発明の実施形態及び保護範囲を制限することなく、本発明の好適な実施例だけである。当業者にとって、凡そ本発明は明細書及び図示内容を運用して等同の取替及び自明の変化による方案を作成ことは全て、本発明による保護範囲内に包含されると意識すべきである。
【符号の説明】
【００５４】
１      矩形ブロック（矩形区域）
１１    横向軸線
１２    縦向軸線
１３    左上部分
１４    右上部分
１５    左下部分
１６    右下部分
２１    第一型画素単位（第一型の画素）
２２    第二型画素単位（第二型の画素）
１１１  第一横向半軸線
１１２  第二横向半軸線
１２１  第一縦向半軸線
１２２  第二縦向半軸線
１３１  左上第一サブ画素区（サブ画素区）
１３２  左上第二サブ画素区（サブ画素区）
１４１  右上第一サブ画素区（サブ画素区）
１４２  右上第二サブ画素区（サブ画素区）
１５１  左下第一サブ画素区（サブ画素区）
１５２  左下第二サブ画素区（サブ画素区）
１６１  右下第一サブ画素区（サブ画素区）
１６２  右下第二サブ画素区（サブ画素区）
【図１】
0005845322.tif 000002
【図２】
0005845322.tif 000003
【図３】
0005845322.tif 000004
【図４】
0005845322.tif 000005
【図５】
0005845322.tif 000006
【図６】
0005845322.tif 000007
【図７】
0005845322.tif 000008
【図８】
0005845322.tif 000009
【図９】
0005845322.tif 000010
【図１０】
0005845322.tif 000011
【図１１】
0005845322.tif 000012
【図１２】
0005845322.tif 000013
【図１３】
0005845322.tif 000014